(57)【要約】      （修正有）【課題】年齢や場所を問わず、誰でもどこでも簡単にカラオケを楽しむことを可能にするブック型カラオケ装置を提供する。【解決手段】ブック型カラオケ装置は、カラオケ装置本体２と、カラオケ装置本体２に接続して使用するマイク４と、カラオケ装置本体２およびマイク４を収納するための収納部６と、収納部６を覆い隠すことが可能なカバー８と、を具備し、本棚に収納可能に構成される。書籍のような形態・寸法を有しているので、カバンなどに入れても嵩張ることがなく、年配者や子供でも持ち運びが容易であり、場所を問わず誰でもいつでもカラオケを楽しめる。また、書籍のような外観を有しているため、カラオケ装置を手で掴み易い。したがって、把手などの余計な部材を設ける必要がないので、形状が複雑にならず、低コストでの製造が可能となる。また、例えば書籍と並べて本棚に収納できるので、他の家電機器に紛れて紛失するのを防止できる。【選択図】図１
0003205862.tif 000002
【実用新案登録請求の範囲】
【請求項１】
カラオケ装置本体と、
前記カラオケ装置本体に接続して使用するマイクと、
前記カラオケ装置本体および前記マイクを収納するための収納部と、
前記収納部を覆い隠すことが可能なカバーと、を具備し、
本棚に収納可能に構成されたブック型カラオケ装置。
【請求項２】
前記カラオケ装置本体は、
該カラオケ装置本体で再生可能な曲情報が記録された情報記録媒体と、
前記情報録媒体の差込口と、
を更に具備している、ことを特徴とする請求項１に記載のブック型カラオケ装置。
【請求項３】
前記カラオケ装置本体は、
マイクを介してカラオケ装置本体に入力された音声を録音するための録音部と、
録音された前記音声を再生するための再生部と、
を更に具備している、ことを特徴とする請求項１又は２に記載のブック型カラオケ装置。
【請求項４】
前記カラオケ装置本体は、前記収納部および前記カバーによって全面を覆い隠すことができるように収納されている、ことを特徴とする請求項１乃至３の何れかに記載のブック型カラオケ装置。
【請求項５】
ブック型カラオケ装置とは別体のブック型付属物であって、
請求項２に記載のカラオケ装置本体で再生可能な曲情報が記録された情報記録媒体と、
前記情報記録媒体に記録された曲情報に関する歌詞が記載された冊子と、を具備し、
本棚に収納可能に構成された、ブック型のカラオケ装置付属物。
【請求項６】
請求項２に記載のブック型カラオケ装置を含むとともに、
請求項５に記載のブック型カラオケ装置付属物を一または複数含んで構成された、
本棚に並べて収納可能なカラオケセット。
【考案の詳細な説明】
【技術分野】
【０００１】
本考案は、カラオケ装置に関するものであり、特に、書籍のような外観を有するブック型カラオケ装置（本型カラオケ装置）と、その付属物と、これらを含んで構成されるカラオケセットに関するものである。
【背景技術】
【０００２】
わが国のみならず世界各国においてカラオケは、学生から社会人、さらに高齢者にまで「娯楽」の一つとして幅広く利用されてきたが、近年では、カラオケは「健康法」の一つとしても注目を集めている。
【０００３】
一方、カラオケの利用場所の代表的なものとしては、カラオケ装置が設置された店舗（例えばカラオケ専門店やスナックバーなど）が挙げられるが、高齢者等にとっては経済的理由や地理的理由などから、誰でも気軽に利用できるものではなかった。
【０００４】
また、従来より一般的に提供されているカラオケ装置は、大掛かりな装置で容易に移動できるものではないため、例えば年配の方が集まる花見や各種集会などに、カラオケ装置を持ち込んだり撤去するのは容易ではなかった。
【考案の概要】
【考案が解決しようとする課題】
【０００５】
そこで、上述した問題点に鑑み、本考案の目的は、年齢や場所を問わず、誰でもどこでも簡単にカラオケを楽しむことを可能にするカラオケ装置、その付属物、これらを含んで構成されるカラオケセットを提供し、健康法としてのカラオケを更に普及させることにある。
【課題を解決するための手段】
【０００６】
上記目的は、
カラオケ装置本体と、
前記カラオケ装置本体に接続して使用するマイクと、
前記カラオケ装置本体および前記マイクを収納するための収納部と、
前記収納部を覆い隠すことが可能なカバーと、を具備し、
本棚に収納可能に構成されたブック型カラオケ装置によって達成される。
【０００７】
上記ブック型カラオケ装置において、カラオケ装置本体は、
該カラオケ装置本体で再生可能（読出可能）な曲情報が記録された情報記録媒体と、
前記情報録媒体の差込口と、
を更に具備していることが好ましい。
なお、カラオケ装置本体は、情報記録媒体を差込口に差し込んだ状態で、当該情報記録媒体に記録された曲情報を読み込むことが可能であり、また、読み込んだ曲情報を再生してカラオケ装置本体のスピーカから出力することが可能である。
【０００８】
また、上記ブック型カラオケ装置において、カラオケ装置本体は、
マイクを介してカラオケ装置本体に入力された音声を録音するための録音部と、
録音された前記音声を再生するための再生部と、
を更に具備していることが好ましい。
【０００９】
また、上記ブック型カラオケ装置において、カラオケ装置本体は、前記収納部および前記カバーによって全面を覆い隠すことができるように収納されていることが好ましい。
【００１０】
また、前述した目的は、
ブック型カラオケ装置とは別体のブック型付属物であって、
カラオケ装置本体で再生可能な曲情報が記録された情報記録媒体と、
前記情報記録媒体に記録された曲情報に関する歌詞が記載された冊子と、を具備し、
ブック型カラオケ装置と一緒に並べて本棚に収納可能に構成された、ブック型のカラオケ装置付属物によって達成される。
【００１１】
また、前述した目的は、
ブック型カラオケ装置を含むとともに、
ブック型カラオケ装置付属物を一または複数含んで構成された、
本棚に並べて収納可能なカラオケセットによって達成される。
【考案の効果】
【００１２】
請求項１に記載のカラオケ装置は、当該装置がブック型、すなわち書籍のような形態・寸法を有しているので、カバンなどに入れても嵩張ることがなく、年配者や子供でも持ち運びが容易であり、場所を問わず誰でもいつでもカラオケを気軽に楽しむことができる。
また、書籍のような外観を有しているため、カラオケ装置自体が手で掴み易い。したがって、把手などの余計な部材を設ける必要がないので、形状が複雑にならず、低コストでの製造が可能となる。
また、例えば辞書などの書籍と並べて本棚等に収納することが可能であるので、他の家電機器に紛れて紛失するのを防止することができる。つまり、本棚などで書籍と一緒に管理できるので、使いたいときに、気軽に本棚から取り出してカラオケを楽しむことができる。
また、カラオケ装置が嵩張らないように設計されているため、災害時における気分転換や精神安定用の道具として防災グッズに加えることも可能である。
また、嵩張ることがなくどこにでも持ち運べるため、災害時や遭難時などにおいて拡声器として利用することも可能である。
また、書籍と並べて本棚等に収納できるので、書店などにおいてもカラオケ装置を扱うことが可能になるので、家電量販店やインターネットショッピング等に馴染みのない高齢者でも、簡単に入手することができる。
【００１３】
請求項２に記載のカラオケ装置では、抜き差し自在の情報記録媒体を差し込むことで、楽曲を再生することが可能になる。したがって、情報記録媒体を交換することで、様々な楽曲を楽しむことが可能になる。また、カセットなどを単に差し込むだけで再生可能に構成することで、お年寄りや子供が操作に悩むことなく誰でも簡単にカラオケを楽しむことができる。
【００１４】
請求項３に記載のカラオケ装置では、歌い手の音声を録音することができ、また、必要なときに、録音した音声を再生してスピーカから出力することができる。これにより、単に歌えるだけでなく、過去の歌声を楽しむことができるようになる。また、仲間や自分の歌声を記念に記録しておくといった利用方法も可能になる。
さらに、過去に録音した音声と一緒にカラオケのデュエットを楽しむといった利用方法も可能になる。
また、録音・再生機能を具備するカラオケ装置をボイスレコーダとして活用し、例えば、外出時に家族あての音声メッセージを残すといった場合などに利用することも可能である。
【００１５】
請求項４に記載のカラオケ装置では、カラオケ装置本体が、収納部およびカバーによって全面を覆い隠された状態で収納されるようになっている。これにより、収納時や持ち運び時において、カラオケ装置本体のボタン類や各種差込口などが外部に晒されることがなく、また、カラオケ装置本体の全面が保護されることになるので、電子機器であるカラオケ装置本体の故障や汚れを防いで長持ちさせることが可能になる。
【００１６】
請求項５に記載の付属物は、ブック型カラオケ装置とは別体・別売のブック型付属物であって、その内部にカセット状情報記録媒体などを具備している。このような別体のブック型付属物をユーザに（カラオケ装置とは別売りで）別途提供することで、ブック型カラオケ装置で再生可能な楽曲を増やすことが可能になり、また、カラオケユーザの好みに応じた様々なカラオケ曲を提供することが可能になる。
また、カラオケユーザにとっては、必要な楽曲が収録された付属物だけを購入すれば足りるので、あらゆる曲が網羅されたカラオケ装置を購入する場合と比べてコストを下げることができる。
【００１７】
請求項６に記載のカラオケセットでは、カラオケ装置・付属物のいずれも、書籍のような外観を有している。したがって、本棚等に辞書や既存の書籍と並べてカラオケ装置・付属物を収納することができる。すなわち、本考案のカラオケセットは、本棚等を利用して整理整頓した状態で収納できるので、管理が簡単であり紛失することがない。
また、複数巻で構成される図鑑や百科事典の如く本棚等に並べてカラオケ装置・付属物を収納することで、ブック型カラオケ装置やブック型付属物のコレクションを視覚的に楽しむことができる。つまり、カラオケ装置とその付属物を、いわゆる「カラオケずかん」の如くシリーズ書籍として本棚で管理することが可能になる。
【図面の簡単な説明】
【００１８】
【図１】本考案に係るカラオケ装置の平面図であって、カバーを展開した状態を示している。
【図２】本考案に係るカラオケ装置を正面から見た透視図である。
【図３】図１に示すカラオケ装置が具備するカラオケ装置本体の右側面図である。
【図４】図１に示すカラオケ装置が具備するカラオケ装置本体の底面図である。
【図５】図１に示すカラオケ装置が具備するカセットの平面図および側面図である。
【図６】図１に示すカラオケ装置のカバーを閉めるときの様子を示す図である。
【図７】本考案に係るカラオケ装置付属物（ブック型付属物）を示す平面図であって、カバーを開けた状態を示している。
【図８】本考案に係るカラオケ装置付属物（ブック型付属物）を側面から見た透視図であって、カバーを開けた状態を示している。
【図９】本考案に係るカラオケ装置付属物（ブック型付属物）を正面から見た透視図であって、カバーを開けた状態を示している。
【図１０】本考案に係るカラオケ装置およびその付属物からなるカラオケセットをシリーズ書籍の如く本棚に並べて収納した様子を示す図である。
【考案を実施するための形態】
【００１９】
以下、添付図面に基づいて本考案の具体的実施形態について説明する。
図１〜図４は、本考案に係るブック型カラオケ装置を示している。
図５は、本考案に係るブック型カラオケ装置に収容されたカセットを示している。
図６は、本考案に係るブック型カラオケ装置が具備するカバーを閉めるときの様子を示している。
図７〜図９は、本考案に係るカラオケ装置付属物（ブック型付属物）を示している。
図１０は、本考案に係るブック型カラオケ装置とカラオケ装置付属物（ブック型付属物）を、図鑑などのシリーズ書籍の如く本棚に並べた様子を示している。
【００２０】
本考案に係るカラオケ装置は、本棚に収納可能に構成されたブック型のカラオケ装置であって、言い換えると、カラオケ機能を持った書籍（本）とも言える。
【００２１】
このカラオケ装置は、図１に示すように、主として、
・スピーカや各種ボタン類などを具備する電子機器であるカラオケ装置本体２と、
・カラオケ装置本体に接続して使用するマイク４と、
・カラオケ装置本体およびマイクを収納する容器状の収納部６と、
・容器状の収納部６を覆い隠すことが可能なカバー８と、
を有している。
【００２２】
以下、容器状の収納部６、カバー８、カラオケ装置本体２の具体的構成について順に説明する。
【００２３】
（容器状の収納部）
収納部６は、図１に示すように平面視略矩形の壁体を含んで構成されている。この壁体を具備する収納部６は、カバー８の内側に固設されている。収納部６の内側スペースには、図１に示すようにカラオケ装置本体２とマイク４が収納される。収納部６の内側のマイク収納スペースには、その内部でマイク４がガタつかないように、段部１１，１２が設けられている。
【００２４】
なお、図１に示す例では、カラオケ装置本体２とマイク４が収納部６の内側スペースに収納されているが、カラオケを実施する際には、これらを収納部６から取り出して使用することができる。勿論、マイク４だけを取り出し、カラオケ装置本体２を収納部６に収めたままでカラオケを行うことも可能である。
【００２５】
（カバー）
カバー８は屈曲可能な一枚の部材（例えば厚紙や樹脂材料など）で構成されており、書籍のようにカバー表面にタイトルが記載されるほか、必要に応じて絵柄や色彩などのデザインが施される。また、このカバー８は前述した収納部６の蓋としても機能するようになっている。
【００２６】
カバー８は、図１に示すように、オモテ面部８１と、ウラ面部８３と、背表紙部８５と、固定部８７を一続きに有しており、図６に示すように各部の境目で折り曲げることができるように構成されている。
【００２７】
オモテ面部８１の表側（図１において紙面裏側）には、書籍の如くタイトルや絵柄などが記載され、またその裏側（図１において紙面表側）には、歌詞などが掲載された冊子１５が取り外し可能に装備される。当該冊子１５には、カセット２３に収録された楽曲に対応する曲名や歌詞などの視覚的カラオケ情報が掲載されている。
【００２８】
ウラ面部８３の裏側（図１において紙面表側）には、図１に示すように、容器状の収納部６が固設される。
【００２９】
背表紙部８５は、収納部６の厚みを超える幅を有している。背表紙部８５の表側（図１において紙面裏側）には、書籍の如くタイトルや絵柄などが記載される。背表紙部８５にタイトルなどを記載することで、本棚等に並べたときに容易に見つけることができる。
【００３０】
固定部８７は、図１に示すように、マグネット内蔵部１７，１７を具備している。図６に示すようにカバー８を閉めるときに、当該マグネット内蔵部１７，１７の各マグネットと、容器状収容部６の外壁面に設けられた金属部材との間で磁力が作用し、その結果、両者が近接したときに「ピタッ」といった具合に該固定部８７を容器状収容部６の外壁面に対して磁気固定することができる。
【００３１】
（カラオケ装置本体）
カラオケ装置本体２は、出し入れ自在に収容部６に収容され、図１に示すように、主として、
・再生する楽曲、歌い手の音声、各種効果音などを出力するスピーカ２１と、
・再生可能な曲情報が記録された抜き差し自在のカセット２３と、
・カセットを抜き差し自在に差し込むためのカセット差込口２５と、
を具備している。
【００３２】
また、カラオケ装置本体２は（図示を省略するが）、
・マイク４を介してカラオケ装置本体２に入力された音声を録音するための録音部と、
・録音された前記音声を再生してスピーカ２１から出力するための再生部と、
を内蔵している。これらは例えばメモリや電子回路等によって構成される。
このような構成を具備することで、いわゆるカラオケ装置をいわゆるボイスレコーダとして利用できるほか、録音部によって録音された過去のカラオケ音声とデュエットを楽しむといった利用方法も可能になる。
【００３３】
また、本実施形態においてカラオケ装置本体２は、図１に示すように、
・ＬＥＤなどを含んで構成され、入力された曲番号などを表示する情報表示部２７と、
・スピーカ２１から出力される楽曲の音量を調整するための音量ボタン２９と、
・スピーカ２１から出力される楽曲のトーンを調整するためのトーンボタン３１と、
・カラオケ装置本体２の電源ＯＮ／ＯＦＦを切り替えるための電源スイッチ３３と、
・再生する楽曲に対応する識別番号（曲番号）を入力するための曲番号ボタン３５と、
・前述した録音部を機能させるための録音ボタン３７と、
・前述した再生部を機能させるための再生ボタン３９と、
・曲番号ボタン３５によって入力された曲番号をクリアするためのクリアボタン４１と、
・入力された曲番号を確定して楽曲再生をスタートさせるための決定ボタン４３と、
・録音や再生をストップさせるためのストップボタン４５と、
・スピーカから出力されるマイクエコーを調整するためのマイクエコー調整部４７と、
・スピーカから出力されるマイク音量を調整するためのマイク音量調整部４９と、
を具備している。
【００３４】
なお、情報表示部２７には、一人ひとりの歌い手のカラオケ終了時に、歌唱の点数を表示することも可能である。また、点数を表示する際には、スピーカ２１から効果音を出力させて、カラオケの場を盛り上げるようにすることも可能である。
【００３５】
また、カラオケ装置本体２の正面側には、図２に示すように、
・ＡＣ電源につながる電源ケーブルの端子を差し込むためのＡＣ電源差込口５１と、
・別体の外部スピーカに電気的に接続するための外部出力口５３と、
が設けられている。
このようにＡＣ電源差込口５１や外部出力口５３を設けることで、例えば、出力の大きなスピーカや電源設備の整った場所では、カラオケ店舗と同様に（またはそれ以上に）、大音量で迫力のあるカラオケを楽しむことが可能である。
【００３６】
また、カラオケ装置本体２の右側面側には、図３に示すように、
・前述したカセット差込口２５のほか、
・マイクジャック差込口５５が設けられている。
なお、本実施形態では、図３に示すように、マイクジャック差込口５５が複数設けられている。これにより、同時に複数のマイクを併用してデュエットなどを楽しむことができる。
【００３７】
また、カラオケ装置本体２の底面側には、図４に示すように、内部バッテリーである乾電池を収容可能なバッテリー収容部５７が設けられている。本実施形態のカラオケ装置本体２は、ＡＣ電源などの外部電源から電力供給を受けて作動するほか、電池などの内部バッテリーだけで作動させることもできる。したがって、花見やキャンプなど、電源設備の無い屋外であってもカラオケを楽しむことができる。
【００３８】
（マイク）
カラオケ装置本体２に接続して使用するマイク４は、主として樹脂製の部材で構成され、握力や腕力が劣るお年寄りでも継続して持てるように軽量化されている。なお、本考案に適用可能なマイクの形態は、必ずしも図示するものに限定されず、他の形態を採用することも可能である。
【００３９】
例えば、マイクを手や指に引っ掛けることができるように、マイク４にベルトやリングなどの引っ掛け部材を設けてもよい。あるいは、マイクを指に取り付けることができるように、指輪形状のマイクを採用することも可能である。あるいは、マイク機能を備えたヘッドセットで当該マイクを構成することも可能である。このような特徴を具備するマイクであれば、マイクを使用する歌い手は、当該マイクを手の平で握りしめる必要がないので、握力や腕力が劣るお年寄りや病人などでもカラオケを楽しむことができる。
【００４０】
（カセット）
カセット２３は情報記録媒体の一例であり、本実施形態では、内部にＲＯＭなどのメモリが設けられたカセットタイプ（カートリッジタイプ）の媒体を使用している。なお、カセットは例示であり、差込タイプの情報記録媒体として、ＳＤカードやＵＳＢメモリなどを使用することも可能である。
【００４１】
カラオケ用の楽曲が収録されたカセット２３は、図５の拡大図に示すような形態を有しており、また、その表面には、図５(a)に示すように識別情報が記載された飾りシール５９が設けられている。カセットに付する識別情報は、例えば「１」や「２」などの数字でもよく、または、「昭和の名曲」や「なつかしのメロディー」などのタイトル、あるいはこれらの結合などでもよい。
【００４２】
また、このカセット２３には、カラオケ装置本体２から当該カセット２３を引き抜くときに指を引っ掛けるための段部が設けられている。このような段部を形成することで指が滑りにくくなり、お年寄りなどでも簡単にカセットを引き抜くことができる。
【００４３】
カセット２３は、図１に示すようにカラオケ装置本体２に差し込まれている。カラオケ装置本体２が収納部８に収まった状態では、カラオケ装置本体２からカセット２３が勝手に抜け出ないように、カセット２３の端部が段部１１に引っ掛かるようになっている。これにより、カラオケ装置の持ち運び時などにおいて、カセット２３がカラオケ装置本体２から抜け出るのを防止できる。
【００４４】
（カラオケ装置の付属物／ブック型付属物）
本考案に係る「ブック型付属物」は、図７〜図９に示すとおりであって、上述した特徴を具備するブック型カラオケ装置とは別体・別売りの本型構造物である。この別体・別売りの付属物には、ブック型カラオケ装置で使う専用のカセットが収納されている。
【００４５】
このブック型付属物は、上述したブック型カラオケ装置と同様に、書籍のような形態・寸法を有しており、書籍のように本棚に並べて収納可能に構成されている。
【００４６】
本考案に係るブック型付属物は、図７〜図９に示すように、主として、
カラオケ装置本体で再生可能な曲情報が記録されたカセット９３と、
カセット９３に記録された曲情報に関する歌詞などが掲載された冊子９５と、
カセット９３および冊子９５を収容可能な収納部９６と、
該収納部９６の蓋として機能することが可能な開閉式のカバー９８と、
を具備している。
【００４７】
ブック型付属物が具備するカセット９３は、前述したブック型カラオケ装置が具備するカセットと同様の構成であるが、記録されている曲情報が異なる。また、ブック型付属物が具備するカセット９３は、前述したカラオケ装置本体で利用可能な専用カセットである。
【００４８】
すなわち、本考案に係るブック型付属物は、前述したブック型カラオケ装置からカラオケ装置本体とマイクを省いたような特徴を具備している。なお、ブック型付属物は、カラオケ装置本体やマイクを具備していないので、その分、厚さ方向の寸法を薄くすることができる。
【００４９】
（カラオケセット）
本考案に係るカラオケセットは、
・前述したブック型カラオケ装置と、
・一又は複数の前述したブック型付属物と、
を含んで構成される。
【００５０】
図１０には、そのようなカラオケセット（ブック型カラオケ装置と複数のブック型付属物）をシリーズ書籍の如く本棚に並べた状態を示している。図１０に例示するとおり、ブック型カラオケ装置の背表紙には、「脳トレ カラオケずかん １」といった識別情報が記載されており、また、ブック型付属物には、「脳トレ カラオケずかん ２」「脳トレ カラオケずかん ３」・・・などの識別情報が記載されている。
【００５１】
また本考案において、ブック型カラオケ装置とブック型付属物には、複数巻で構成される図鑑や百科事典などのシリーズ書籍と同様に、統一したデザインがカバー表面に施されている。ここでいう「統一したデザイン」とは、同一の絵柄や色彩のデザインに限定されるものではなく、視覚を通じて統一性を感じることのできるデザインを広く含むものである。このように統一したデザインを施すことで、図１０に示すように本棚にこれらを並べても、視覚を通じて違和感が生じることはない。そのため本考案によれば、ブック型カラオケ装置と、その専用のカセットが収められたブック型付属物のコレクションを本棚に並べて楽しむことができる。
【００５２】
このように本考案のカラオケセットでは、カラオケ装置・付属物のいずれも、書籍のような形態・寸法を有していて、本棚等に辞書や既存の書籍と並べてカラオケ装置・付属物を収納することができる。すなわち、本考案のカラオケセットは、本棚等を利用して整理整頓した状態で収納できるので、管理が簡単であり紛失することがない。
また、本棚等に辞書や既存の書籍と並べてカラオケ装置・付属物を収納することで、ブック型付属物のコレクションを視覚的に楽しむことができる。
【００５３】
なお、ブック型カラオケ装置とブック型付属物が具備するカセットに収録する楽曲の種類は特に限定されるものではなく、様々なジャンルの楽曲をカセット毎に収録することができる。
例えば、
・様々な学校の校歌をカラオケ曲として収録した「校歌シリーズ」
・様々な学校やスポーツの応援歌をカラオケ曲として収録した「応援歌シリーズ」
・お経を聞いたり覚えるために収録した「お経シリーズ」
といった感じで様々なシリーズ毎にブック型付属物（カセット）を提供してもよい。
【００５４】
以上、本考案の具体的実施形態について説明した。
なお、上述した実施形態は本考案の例示であって、実用新案登録請求の範囲に記載の本考案には、種々の実施形態・変形例が含まれることに留意されたい。
【符号の説明】
【００５５】
２      カラオケ装置本体
４      マイク
６      収納部
８      カバー
１１    凸状段部
１２    凸状段部
１５    冊子
１７    マグネット内蔵部
２１    スピーカ
２３    カセット（情報記録媒体）
２５    カセット差込口
２７    情報表示部
２９    音量ボタン
３１    トーンボタン
３３    電源スイッチ
３５    曲番号ボタン
３７    録音ボタン
３９    再生ボタン
４１    クリアボタン
４３    決定ボタン
４５    ストップボタン
４７    マイクエコー調整部
４９    マイク音量調整部
５１    ＡＣ電源差込口
５３    外部出力口
５５    マイクジャック差込口
５７    バッテリー収容部
５９    飾りシール
８１    オモテ面部
８３    ウラ面部
８５    背表紙部
８７    固定部
９３    カセット（情報記録媒体）
９５    冊子
９６    収納部
９８    カバー
【図１】
0003205862.tif 000003
【図２】
0003205862.tif 000004
【図３】
0003205862.tif 000005
【図４】
0003205862.tif 000006
【図５】
0003205862.tif 000007
【図６】
0003205862.tif 000008
【図７】
0003205862.tif 000009
【図８】
0003205862.tif 000010
【図９】
0003205862.tif 000011
【図１０】
0003205862.tif 000012